(57)【特許請求の範囲】
【請求項１】
主音声信号からなる音声信号と主音声信号及び副音声信号からなる音声信号のうちのいずれか一方の音声信号と映像信号とが多重化されたデジタル放送信号を受信し、受信したデジタル放送信号に副音声信号が含まれているか否かを表示によって視聴者に通知するデジタル放送受信装置であって、
前記デジタル放送信号を受信し、受信したデジタル放送信号を復号してデジタル放送復号信号を出力する受信部と、
入力される前記デジタル放送復号信号から主音声信号及び映像信号を分離するとともに、前記音声信号が主音声信号及び副音声信号からなる場合、入力される前記デジタル放送復号信号から副音声信号を分離する信号分離部と、
入力される前記信号分離部で分離された主音声信号を復号して再生可能な主音声復号信号を生成する主音声復号部と、
前記信号分離部で副音声信号が分離された場合、入力される前記信号分離部で分離された副音声信号を復号して再生可能な副音声復号信号を生成する副音声復号部と、
入力される前記信号分離部で分離された映像信号を復号して表示可能な映像復号信号を生成する映像生成部と、
前記副音声復号部の入力バッファを監視して前記副音声信号の前記副音声復号部への入力を検出する検出部と、
前記検出部で前記副音声信号の前記副音声復号部への入力が検出された場合、前記副音声信号の存在を示す副音声画像を表示するための副音声画像信号を生成するように前記映像生成部を制御する制御部と、
を備えるデジタル放送受信装置。
【請求項２】
主音声信号からなる音声信号と主音声信号及び副音声信号からなる音声信号のうちのいずれか一方の音声信号と映像信号とが多重化されたデジタル放送信号を受信し、受信したデジタル放送信号に副音声信号が含まれているか否かを表示によって視聴者に通知するデジタル放送受信装置であって、
前記デジタル放送信号を受信し、受信したデジタル放送信号を復号してデジタル放送復号信号を出力する受信部と、
入力される前記デジタル放送復号信号から主音声信号及び映像信号を分離するとともに、前記音声信号が主音声信号及び副音声信号からなる場合、入力される前記デジタル放送復号信号から副音声信号を分離する信号分離部と、
入力される前記信号分離部で分離された主音声信号を復号して再生可能な主音声復号信号を生成する主音声復号部と、
前記信号分離部で副音声信号が分離された場合、入力される前記信号分離部で分離された副音声信号を復号して再生可能な副音声復号信号を生成する副音声復号部と、
入力される前記信号分離部で分離された映像信号を復号して表示可能な映像復号信号を生成する映像生成部と、
前記副音声復号部の入力バッファを監視して前記副音声信号の前記副音声復号部への入力を検出するとともに、前記副音声復号部の出力バッファを監視して前記副音声復号信号のレベルが所定値以上であるか否かを検出する検出部と、
前記検出部で前記副音声信号の前記副音声復号部への入力が検出され、かつ、前記副音声復号信号のレベルが所定値以上であると検出された場合、前記副音声信号の存在を示す副音声画像を表示するための副音声画像信号を生成するように前記映像生成部を制御する制御部と、
を備えるデジタル放送受信装置。
【請求項３】
主音声信号からなる音声信号と主音声信号及び副音声信号からなる音声信号のうちのいずれか一方の音声信号と映像信号とが多重化されたデジタル放送信号を受信し、受信したデジタル放送信号に副音声信号が含まれているか否かを表示によって視聴者に通知するデジタル放送受信装置であって、
前記デジタル放送信号を受信し、受信したデジタル放送信号を復号してデジタル放送復号信号を出力する受信部と、
入力される前記デジタル放送復号信号から主音声信号及び映像信号を分離するとともに、前記音声信号が主音声信号及び副音声信号からなる場合、入力される前記デジタル放送復号信号から副音声信号を分離する信号分離部と、
入力される前記信号分離部で分離された主音声信号を復号して再生可能な主音声復号信号を生成するとともに、前記信号分離部で副音声信号が分離された場合、入力される前記信号分離部で分離された副音声信号を復号して再生可能な副音声復号信号を生成する音声生成部と、
入力される前記信号分離部で分離された映像信号を復号して表示可能な映像復号信号を生成する映像生成部と、
前記信号分離部で分離された副音声信号の前記音声生成部への入力を検出し、前記副音声復号信号のレベルが所定値以上であるか否かを検出する検出部と、
前記検出部で前記副音声信号の前記音声生成部への入力が検出され、かつ、前記副音声復号信号のレベルが所定値以上であると検出された場合には前記副音声信号の存在を示す副音声画像を表示するための副音声画像信号を生成するように前記映像生成部を制御し、前記副音声画像信号が生成されている状況において、前記検出部で前記副音声信号の前記音声生成部への入力が検出され、かつ、前記副音声復号信号のレベルが前記所定値より小さいと検出された場合には前記副音声画像信号の生成を所定時間だけ継続するように前記映像生成部を制御する制御部と、
を備えるデジタル放送受信装置。
【発明の詳細な説明】
【技術分野】
【０００１】
本発明は、デジタル放送受信装置、及びデジタル放送受信方法に関し、より特定的には、視聴中の番組が副音声を有しているか否かを表示によって視聴者に通知するデジタル放送受信装置、及びデジタル放送受信方法に関する。
【背景技術】
【０００２】
従来、視聴中の番組情報に含まれるＥＩＴ（Ｅｖｅｎｔ  Ｉｎｆｏｒｍａｔｉｏｎ  Ｔａｂｌｅ）を参照して副音声の有無を判定し、副音声が存在すると判定した場合に副音声の存在を示すＯＳＤ画像を表示するデジタル放送受信装置が提案されている（例えば、特許文献１など）。具体的には、デジタル放送受信装置は、ＥＩＴ内に副音声の情報が含まれているか否かを判断することによって、副音声の有無を判定している。このデジタル放送受信装置により、視聴者は、副音声の有無を把握することができ、必要に応じて副音声を再生させることができる。
【０００３】
また従来、番組情報に含まれるＰＭＴ（Ｐｒｏｇｒａｍ  Ｍａｐ  Ｔａｂｌｅ）を参照して副音声の有無を判定するデジタル放送受信装置も提案されている。以下、図１６を参照して、このデジタル放送受信装置について具体的に説明する。図１６は、ＰＭＴを参照して副音声の有無を判定するデジタル放送受信装置の構成を示した図である。
【０００４】
図１６において、デジタル放送受信装置２は、アンテナ１と接続されており、受信部２１、信号分離部２２、音声生成部２３、音声再生部２４、映像生成部２５、映像表示部２６、及び制御部２７を備える。
【０００５】
受信部２１は、アンテナ１で受信されるデジタル放送信号を復号し、デジタル放送復号信号であるトランスポートストリームを信号分離部２２へ出力する。デジタル放送信号は、主音声信号からなる音声信号と映像信号とが多重化された信号、もしくは、主音声信号及び副音声信号からなる音声信号と映像信号とが多重化された信号である。
【０００６】
信号分離部２２は、入力されたトランスポートストリームから、メイン（主）音声信号であるメイン音声のデータストリーム（メイン音声ストリーム）、映像信号である映像のデータストリーム（映像ストリーム）、及び番組情報のデータを分離する。なお、信号分離部２２は、入力されたトランスポートストリームに副音声信号である副音声のデータストリーム（副音声ストリーム）が含まれている場合、入力されたトランスポートストリームから副音声ストリームをさらに分離する。信号分離部２２は、分離したメイン音声ストリームを音声生成部２３へ出力し、分離した映像ストリームを映像生成部２５へ出力する。なお、信号分離部２２は、副音声ストリームをさらに分離した場合、分離した副音声ストリームを音声生成部２３へ出力する。
【０００７】
音声生成部２３は、図１７に示すように、メイン音声復号部２３１、副音声復号部２３２、及び音声合成部２３３を備える。図１７は、音声生成部２３の具体的な構成を示した図である。メイン音声復号部２３１は、入力されたメイン音声ストリームを復号して再生が可能なメイン音声復号信号を生成し、音声合成部２３３へ出力する。副音声復号部２３２は、入力された副音声ストリームを復号して再生が可能な副音声復号信号を生成し、音声合成部２３３へ出力する。音声合成部２３３は、制御部２７の制御によって、メイン音声復号信号と副音声復号信号とを合成して音声再生部２４へ出力したり、メイン音声復号信号のみ音声再生部２４へ出力したりする。
【０００８】
音声再生部２４は、例えばスピーカで構成される。音声合成部２３３からメイン音声復号信号と副音声復号信号とを合成した信号が入力された場合、音声再生部２４は、メイン音声と副音声とを同時に再生する。一方、音声合成部２３３からメイン音声復号信号のみ入力された場合、音声再生部２４は、メイン音声のみ再生する。
【０００９】
映像生成部２５は、図１８に示すように、ＯＳＤ画像出力部２５１、映像復号部２５２、及び映像合成部２５３を備える。図１８は、映像生成部２５の具体的な構成を示す図である。ＯＳＤ画像出力部２５１は、制御部２７の制御によって、副音声の存在を示すＯＳＤ画像信号を映像合成部２５３へ出力したり、ＯＳＤ画像信号を出力しなかったりする。映像復号部２５２は、信号分離部２２から入力された映像ストリームを復号して表示が可能な映像復号信号を映像合成部２５３へ出力する。映像合成部２５３は、制御部２７の制御によって、ＯＳＤ画像信号と映像復号信号とを合成して映像表示部２６へ出力したり、映像復号信号のみ映像表示部２６へ出力したりする。
【００１０】
映像表示部２６は、例えばディスプレイで構成される。映像合成部２５３からＯＳＤ画像信号と映像復号信号とを合成した信号が入力された場合、映像表示部２６は、放送映像上にＯＳＤ画像を表示する。一方、映像合成部２５３から映像復号信号のみ入力された場合、映像表示部２６は、放送映像のみ表示する。
【００１１】
制御部２７は、信号分離部２２で分離された番組情報のデータに含まれるＰＭＴを所定のタイミングで取得し、取得したＰＭＴ内に副音声の情報が含まれているか否かを判断することによって、副音声の有無を判定する。
【００１２】
副音声が存在しないと判定した場合、制御部２７は、ＯＳＤ画像信号を出力しないようにＯＳＤ画像出力部２５１を制御するとともに、映像復号信号のみ出力するように映像合成部２５３を制御する。これにより、映像表示部２６では、放送映像のみ表示される。また、制御部２７は、メイン音声復号信号のみ音声再生部２４へ出力するように音声合成部３３３を制御する。これにより、音声再生部２４では、メイン音声のみ再生される。
【００１３】
副音声が存在すると判定した場合、制御部２７は、ＯＳＤ画像信号を出力するようにＯＳＤ画像出力部２５１を制御するとともに、ＯＳＤ画像信号と映像復号信号とを合成して出力するように映像合成部２５３を制御する。これにより、映像表示部２６では、放送映像上にＯＳＤ画像が表示される。また、制御部２７は、放送映像上のＯＳＤ画像を見た視聴者から副音声の再生指示を受け付けた場合、メイン音声復号信号と副音声復号信号とを合成して出力するように音声合成部２３３を制御する。これにより、音声再生部２４では、メイン音声と副音声とが同時に再生される。
【００１４】
以上のように、従来のデジタル放送受信装置では、視聴中の番組情報に含まれるＥＩＴやＰＭＴを参照して副音声の有無を判定し、副音声が存在すると判定した場合に副音声の存在を示すＯＳＤ画像を表示している。
【特許文献１】特開２００５−１５１２１４号公報
【発明の開示】
【発明が解決しようとする課題】
【００１５】
しかしながら、放送局側のデータ記述運用次第で、たとえＥＩＴやＰＭＴ内に副音声の情報が含まれていても、実際にはトランスポートストリームに副音声ストリームが含まれていない場合がある。このような場合、従来のデジタル放送受信装置は、ＥＩＴやＰＭＴを参照して副音声の有無を判定しているので、実際には副音声を再生できなくても副音声の存在を示すＯＳＤ画像を表示してしまうことになる。このため、従来のデジタル放送受信装置では、視聴者に副音声の有無を正確に通知することができず、視聴者に混乱を与え
てしまうという問題があった。
【００１６】
それ故、本発明は、視聴中の番組における副音声の有無を視聴者に正確に通知することが可能なデジタル放送受信装置、及びデジタル放送受信方法を提供することを目的とする。
【課題を解決するための手段】
【００１７】
本発明は、上記課題を解決するためになされた発明であり、本発明に係るデジタル放送受信装置は、主音声信号からなる音声信号と主音声信号及び副音声信号からなる音声信号のうちのいずれか一方の音声信号と映像信号とが多重化されたデジタル放送信号を受信し、受信したデジタル放送信号に副音声信号が含まれているか否かを表示によって視聴者に通知するデジタル放送受信装置であって、デジタル放送信号を受信し、受信したデジタル放送信号を復号してデジタル放送復号信号を出力する受信部と、入力されるデジタル放送復号信号から主音声信号及び映像信号を分離するとともに、音声信号が主音声信号及び副音声信号からなる場合、入力されるデジタル放送復号信号から副音声信号をさらに分離する信号分離部と、入力される信号分離部で分離された主音声信号を復号して再生可能な主音声復号信号を生成するとともに、信号分離部で副音声信号がさらに分離された場合、入力される信号分離部で分離された副音声信号を復号して再生可能な副音声復号信号をさらに生成する音声生成部と、入力される信号分離部で分離された映像信号を復号して表示可能な映像復号信号を生成する映像生成部と、信号分離部で分離された副音声信号の音声生成部への入力を検出する検出部と、検出部で副音声信号の音声生成部への入力が検出された場合、副音声信号の存在を示す副音声画像を表示するための副音声画像信号をさらに生成するように映像生成部を制御する制御部とを備える。
【００１８】
以上の構成によれば、制御部は、ＥＩＴやＰＭＴのみを用いて副音声の有無を判定するのではなく、検出部の検出結果を用いて副音声の有無を判定し、副音声画像信号の生成を制御している。このため、副音声の有無を従来よりも正確に判定することができ、副音声の有無を副音声画像信号を用いて視聴者に正確に通知することができる。その結果、視聴者に混乱を与えないようにすることができる。
【００１９】
好ましくは、音声生成部は、入力される主音声信号を復号して主音声復号信号を生成する主音声復号部と、入力される副音声信号を復号して副音声復号信号を生成する副音声復号部とを有し、検出部は、副音声信号の副音声復号部への入力を検出するとよい。
【００２０】
この場合さらに、検出部は、副音声復号部の入力バッファを監視して副音声信号の副音声復号部への入力を検出するとよい。または、検出部は、副音声復号部の前段に設けられており、副音声信号の自身への入力を検出して副音声信号の副音声復号部への入力を検出するとよい。
【００２１】
また好ましくは、検出部は、さらに、副音声復号信号のレベルが所定値以上であるか否かを検出しており、制御部は、検出部で副音声信号の音声生成部への入力が検出され、かつ、副音声復号信号のレベルが所定値以上であると検出された場合、副音声画像信号をさらに生成するように映像生成部を制御するとよい。
【００２２】
この場合さらに、音声生成部は、入力される主音声信号を復号して主音声復号信号を生成する主音声復号部と、入力される副音声信号を復号して副音声復号信号を生成する副音声復号部とを有し、検出部は、副音声信号の副音声復号部への入力を検出するとともに、副音声復号信号のレベルが所定値以上であるか否かを検出するとよい。さらに、検出部は、副音声復号部の入力バッファを監視して副音声信号の副音声復号部への入力を検出するとともに、副音声復号部の出力バッファを監視して副音声復号信号のレベルが所定値以上
であるか否かを検出するとよい。または、検出部は、副音声復号部の前段に設けられ、副音声信号の自身への入力を検出して副音声信号の副音声復号部への入力を検出する入力検出部と、副音声復号部の後段に設けられ、自身へ入力される副音声復号信号のレベルを参照して副音声復号信号のレベルが所定値以上であるか否かを検出する出力検出部とを有するとよい。
【００２３】
または、制御部は、副音声画像信号が生成されている状況において、検出部で副音声信号の音声生成部への入力が検出され、かつ、副音声復号信号のレベルが所定値より小さいと検出された場合、副音声画像信号の生成を所定時間だけ継続するように映像生成部を制御するとよい。
【００２４】
また好ましくは、映像生成部で生成された映像復号信号に基づく映像を表示するとともに、映像生成部が副音声画像信号をさらに生成した場合、当該映像復号信号に基づく映像上に当該副音声画像信号に基づく副音声画像をさらに表示する表示部をさらに備えるとよい。
【００２５】
また好ましくは、デジタル放送受信装置は、外部の表示装置と接続されており、映像生成部は、生成した映像復号信号を表示装置へ出力するとともに、副音声画像信号をさらに生成した場合、映像復号信号に基づく映像上に副音声画像信号に基づく副音声画像が表示されるように、生成した映像復号信号と副音声画像信号とを合成して表示装置へ出力するとよい。
【００２６】
また好ましくは、デジタル放送受信装置は、外部の表示装置と接続されており、デジタル放送受信装置は、映像生成部がさらに生成した副音声画像信号に基づく副音声画像を表示する表示部をさらに備え、映像生成部は、生成した映像復号信号を表示装置へ出力するとよい。
【００２７】
また本発明は、上記課題を解決するデジタル放送受信方法にも向けられており、本発明のデジタル放送受信方法は、主音声信号からなる音声信号と主音声信号及び副音声信号からなる音声信号のうちのいずれか一方の音声信号と映像信号とが多重化されたデジタル放送信号を受信し、受信したデジタル放送信号に副音声信号が含まれているか否かを表示によって視聴者に通知するデジタル放送受信方法であって、デジタル放送信号を受信し、受信したデジタル放送信号を復号してデジタル放送復号信号を出力する受信ステップと、デジタル放送復号信号から主音声信号及び映像信号を分離するとともに、音声信号が主音声信号及び副音声信号からなる場合、デジタル放送復号信号から副音声信号をさらに分離する信号分離ステップと、信号分離ステップで分離された主音声信号を復号して再生可能な主音声復号信号を生成するとともに、信号分離ステップで副音声信号がさらに分離された場合、信号分離ステップで分離された副音声信号を復号して再生可能な副音声復号信号をさらに生成する音声生成ステップと、信号分離ステップで分離された映像信号を復号して表示可能な映像復号信号を生成する映像生成ステップと、信号分離ステップで分離された副音声信号の音声生成ステップでの復号を検出する検出ステップと、検出ステップで副音声信号の音声生成ステップでの復号が検出された場合、副音声信号の存在を示す副音声画像を表示するための副音声画像信号を生成する副音声画像生成ステップとを含む。
【発明の効果】
【００２８】
本発明によれば、視聴中の番組における副音声の有無を視聴者に正確に通知することが可能なデジタル放送受信装置、及びデジタル放送受信方法を提供することができる。
【発明を実施するための最良の形態】
【００２９】
以下、図面を参照しながら、本発明の実施形態について説明する。
【００３０】
（第１の実施形態）
図１を参照して、本発明の第１の実施形態に係るデジタル放送受信装置の構成について説明する。図１は、第１の実施形態に係るデジタル放送受信装置の構成例を示す図である。図１において、デジタル放送受信装置３は、アンテナ１と接続されており、受信部３１、信号分離部３２、音声生成部３３、音声再生部３４、映像生成部３５、映像表示部３６、制御部３７、及び入力検出部３８を備える。
【００３１】
本実施形態に係るデジタル放送受信装置３は、図１７に示した従来のデジタル放送受信装置２に対し、主として、入力検出部３８を新たに設け、入力検出部３８を用いて副音声の有無を判定する点で異なる。
【００３２】
受信部３１は、アンテナ１で受信されるデジタル放送信号を復号し、デジタル放送復号信号であるトランスポートストリームを信号分離部３２へ出力する。
【００３３】
信号分離部３２は、入力されたトランスポートストリームから、メイン（主）音声信号であるメイン音声ストリーム、映像信号である映像ストリーム、及び番組情報のデータを分離する。なお、信号分離部３２は、入力されたトランスポートストリームに副音声信号である副音声ストリームが含まれている場合、入力されたトランスポートストリームから副音声ストリームをさらに分離する。信号分離部３２は、分離したメイン音声ストリームを音声生成部３３へ出力し、分離した映像ストリームを映像生成部３５へ出力する。なお、信号分離部３２は、副音声ストリームをさらに分離した場合、分離した副音声ストリームを音声生成部３３へ出力する。
【００３４】
信号分離部３２において分離される番組情報のデータには、ＥＩＴ及びＰＭＴが含まれている。ＥＩＴの構成例を図２に示す。図２に示すように、ＥＩＴ４には、ヘッダとイベント（ｅｖｅｎｔ）情報が記述されており、イベント情報には、複数のイベント（第１イベント、第２イベントなど）が記述されている。各イベントには、ディスクリプター（ｄｅｓｃｒｉｐｔｏｒ）情報が記述され、ディスクリプター情報には、コンポーネントディスクリプター（ｃｏｍｐｏｎｅｎｔ＿ｄｅｓｃｒｉｐｔｏｒ）４１が記述されている。コンポーネントディスクリプター４１には、ストリームコンテンツ（ｓｔｒｅａｍ＿ｃｏｎｔｅｎｔ）４１１と、コンポーネントタイプ（ｃｏｍｐｏｎｅｎｔ＿ｔｙｐｅ）４１２とが記述されている。ストリームコンテンツ４１１の記述とコンポーネントタイプ４１２の記述によって、番組の映像が「Ｖｉｄｅｏ（４：３）」であるのか、又は「Ｖｉｄｅｏ（１６：９）」であるのかを把握することができる。例えば、コンポーネントディスクリプター４１に、「０ｘ０１」と記述されたストリームコンテンツ４１１と、「０ｘ０１」と記述されたコンポーネントタイプ４１２が存在する場合、番組の映像は「Ｖｉｄｅｏ（４：３）」であると把握することができる。また、番組のメイン音声が「Ａｕｄｉｏ（ｍｏｎｏ）」、又は「Ａｕｄｉｏ（ｓｔｅｒｅｏ）」であるのかも把握することができる。例えば、コンポーネントディスクリプター４１に、「０ｘ０２」と記述されたストリームコンテンツ４１１と、「０ｘ０１」と記述されたコンポーネントタイプ４１２が存在する場合、番組のメイン音声は「Ａｕｄｉｏ（ｍｏｎｏ）」であると把握することができる。たとえば、コンポーネントタイプが「０ｘ４０」であれば「Ａｕｄｉｏ  Ｄｅｓｃｒｉｐｔｉｏｎ」音声（副音声）を含む運用が行われている場合、コンポーネントディスクリプター４１に、「０ｘ０２」と記述されたストリームコンテンツ４１１と、「０ｘ４０」と記述されたコンポーネントタイプ４１２が存在すれば、副音声である「Ａｕｄｉｏ  Ｄｅｓｃｒｉｐｔｉｏｎ」が番組に含まれていると把握することができる。
【００３５】
また、ＰＭＴ内のメイン音声の情報の構成例と、副音声の情報の構成例とを図３に示す。５１は、メイン音声の情報を示し、５２は、副音声の情報を示している。ＰＭＴは、音
声が存在する番組であればメイン音声の情報５１については常に含んでおり、副音声の情報５２については、例えばＣＭのセクションやＣＭでないセクションなどのセクション毎に含んだり含まなかったりする。
【００３６】
音声生成部３３は、図４に示すように、メイン音声復号部３３１、副音声復号部３３２、及び音声合成部３３３を備える。図４は、音声生成部３３の具体的な構成を示した図である。メイン音声復号部３３１は、入力されたメイン音声ストリームを復号して再生が可能なメイン音声復号信号を生成し、音声合成部３３３へ出力する。副音声復号部３３２は、入力された副音声ストリームを復号して副音声復号信号を生成し、音声合成部３３３へ出力する。音声合成部３３３は、制御部３７の制御によって、メイン音声復号信号と副音声復号信号とを合成して音声再生部３４へ出力したり、メイン音声復号信号のみ音声再生部３４へ出力したりする。
【００３７】
音声再生部３４は、例えばスピーカで構成される。音声合成部３３３からメイン音声復号信号と副音声復号信号とを合成した信号が入力された場合、音声再生部３４は、メイン音声と副音声とを同時に再生する。一方、音声合成部３３３からメイン音声復号信号のみ入力された場合、音声再生部３４は、メイン音声のみ再生する。
【００３８】
映像生成部３５は、図５に示すように、ＯＳＤ画像出力部３５１、映像復号部３５２、及び映像合成部３５３を備える。図５は、映像生成部３５の具体的な構成を示した図である。ＯＳＤ画像出力部３５１は、制御部３７の制御によって、副音声の存在を示す副音声画像を表示するためのＯＳＤ画像信号を映像合成部３５３へ出力したり、ＯＳＤ画像信号を出力しなかったりする。映像復号部３５２は、信号分離部３２から入力された映像ストリームを復号して表示が可能な映像復号信号を映像合成部３５３へ出力する。映像合成部３５３は、制御部３７の制御によって、ＯＳＤ画像信号と映像復号信号とを合成して映像表示部３６へ出力したり、映像復号信号のみ映像表示部３６へ出力したりする。
【００３９】
映像表示部３６は、例えばディスプレイで構成される。映像合成部３５３からＯＳＤ画像信号と映像復号信号とを合成した信号が入力された場合、映像表示部３６は、放送映像上にＯＳＤ画像を表示する。一方、映像合成部３５３から映像復号信号のみ入力された場合、映像表示部３６は、放送映像のみ表示する。
【００４０】
ここで、映像表示部３６が放送映像上にＯＳＤ画像を表示する様子を、図６に示す。図６の例では、ＯＳＤ画像である番組バナー６に副音声画像６１である「Ａｕｄｉｏ  Ｄｅｓｃｒｉｐｔｉｏｎ」が含まれている。
【００４１】
制御部３７は、信号分離部３２で分離された番組情報のデータに含まれるＰＭＴと、後述する入力検出部３８の検出結果とを所定のタイミングで取得し、取得したＰＭＴ及び検出結果に基づいて、副音声の有無を所定のタイミングで判定する。
【００４２】
副音声が存在しないと判定した場合、制御部３７は、ＯＳＤ画像信号を出力しないようにＯＳＤ画像出力部３５１を制御するとともに、映像復号信号のみ出力するように映像合成部３５３を制御する。これにより、映像表示部３６では、放送映像のみ表示される。また、制御部３７は、メイン音声復号信号のみ音声再生部３４へ出力するように音声合成部３３３を制御する。これにより、音声再生部３４では、メイン音声のみ再生される。
【００４３】
副音声が存在すると判定した場合、制御部３７は、ＯＳＤ画像信号を出力するようにＯＳＤ画像出力部３５１を制御するとともに、ＯＳＤ画像信号と映像復号信号とを合成して出力するように映像合成部３５３を制御する。これにより、映像表示部３６では、放送映像上にＯＳＤ画像が表示される。また、制御部３７は、放送映像上のＯＳＤ画像を見た視
聴者から副音声の再生指示を受け付けた場合、メイン音声復号信号と副音声復号信号とを合成して出力するように音声合成部３３３を制御する。これにより、音声再生部３４では、メイン音声と副音声とが同時に再生される。
【００４４】
入力検出部３８は、副音声復号部３３２の入力バッファを所定のタイミングで直接監視することにより、副音声復号部３３２への副音声ストリームの入力を検出する。入力検出部３８は、検出結果を制御部３７へ出力する。制御部３７は、ＰＭＴ内に副音声の情報が含まれており、かつ、入力検出部３８で副音声ストリームの入力が検出された場合に限り、副音声が存在すると判定する。
【００４５】
次に、図７を参照して、以上に説明した制御部３７の表示制御の流れを説明する。図７は、制御部３７の表示制御の流れを示すフローチャートである。
【００４６】
図７において、制御部３７の表示制御がスタートすると、制御部３７は、所定タイミングになったか否かを判断する（ステップＳ１０）。所定タイミングになった場合（ステップＳ１０でＹｅｓ）、制御部３７は、信号分離部３２で分離された番組情報のデータに含まれるＰＭＴを取得し、取得したＰＭＴ内に副音声の情報が含まれているか否かを判断する（ステップＳ１１）。
【００４７】
副音声の情報が含まれている場合（ステップＳ１１でＹｅｓ）、制御部３７は、入力検出部３８の検出結果を取得して、副音声ストリームの入力が検出されたか否かを判断する（ステップＳ１２）。副音声ストリームの入力が検出された場合（ステップＳ１２でＹｅｓ）、制御部３７は、ＯＳＤ画像出力部３５１からＯＳＤ画像信号が出力中であるか否かを判断する（ステップＳ１３）。ＯＳＤ画像信号が出力中である場合（ステップＳ１３でＹｅｓ）、処理はステップＳ１０へ戻る。ＯＳＤ画像信号が出力中でない場合（ステップＳ１３でＮｏ）、制御部３７は、ＯＳＤ画像信号の出力を開始するようにＯＳＤ画像出力部３５１を制御する（ステップＳ１４）。その後、制御部３７は、ＯＳＤ画像信号と映像復号信号との合成及び出力を開始するように映像合成部３５３を制御する（ステップＳ１５）。ステップＳ１５の後、処理はステップＳ１０へ戻る。
【００４８】
副音声の情報が含まれていない場合（ステップＳ１１でＮｏ）、又は、副音声ストリームの入力が検出されない場合（ステップＳ１２でＮｏ）、制御部３７は、ＯＳＤ画像出力部３５１からＯＳＤ画像信号が出力中であるか否かを判断する（ステップＳ１６）。ＯＳＤ画像信号が出力中でない場合（ステップＳ１６でＮｏ）、処理はステップＳ１０へ戻る。ＯＳＤ画像信号が出力中である場合（ステップＳ１６でＹｅｓ）、制御部３７は、ＯＳＤ画像信号の出力を停止するようにＯＳＤ画像出力部３５１を制御する（ステップＳ１７）。その後、制御部３７は、ＯＳＤ画像信号と映像復号信号との合成及び出力を停止するように映像合成部３５３を制御する（ステップＳ１８）。ステップＳ１８の後、処理はステップＳ１０へ戻る。
【００４９】
次に、図８を参照して、図７で説明した制御部３７の表示制御によってＯＳＤ画像の表示状態がどのような状態になるかについて説明する。図８は、第１の実施形態に係るＯＳＤ画像の表示状態の例を示す図である。なお、図８の例では、時刻ｔ１においてＯＳＤ画像は出力されておらず非表示状態であるとし、時刻ｔ１において所定タイミングをむかえるものとする。また、時刻ｔ１〜ｔ２の間、時刻ｔ３〜ｔ４の間、ＰＭＴ内に副音声の情報が含まれているとし、時刻ｔ１〜ｔ２の間、副音声ストリームが副音声復号部３３２へ入力されているとし、時刻ｔ１〜ｔ２の間、副音声ストリームの入力が検出されているとする。
【００５０】
時刻ｔ１において、ＰＭＴ内に副音声の情報が含まれ、かつ、副音声ストリームの入力
が検出されるので、ステップＳ１０〜Ｓ１２の処理それぞれでＹｅｓと判断される。時刻ｔ１では、ＯＳＤ画像は出力されておらず非表示状態である。よって、ステップＳ１３の処理ではＮｏと判断され、ステップＳ１４及びＳ１５の処理によりＯＳＤ画像が表示状態となる。ステップＳ１４及びＳ１５の処理によりＯＳＤ画像が表示状態となるので、ステップＳ１５の処理後、時刻ｔ２までは、ステップＳ１０〜Ｓ１３の処理が繰り返される。これにより、ステップＳ１５の処理後、時刻ｔ２までは、ＯＳＤ画像は表示状態を維持する。
【００５１】
時刻ｔ２において、ＰＭＴ内に副音声の情報が含まれなくなるので、ステップＳ１０の処理ではＹｅｓと判断されるが、ステップＳ１１の処理でＮｏと判断される。時刻ｔ２では、ＯＳＤ画像は表示状態である。よって、ステップＳ１６の処理ではＹｅｓと判断され、ステップＳ１７及びＳ１８の処理によりＯＳＤ画像が非表示状態となる。ステップＳ１７及びＳ１８の処理によりＯＳＤ画像が非表示状態となるので、ステップＳ１８の処理後、時刻ｔ３までは、ステップＳ１０、Ｓ１１、Ｓ１６の処理が繰り返される。これにより、ステップＳ１８の処理後、時刻ｔ３までは、ＯＳＤ画像は非表示状態を維持する。
【００５２】
時刻ｔ３において、ＰＭＴ内に副音声の情報が含まれるようになるので、ステップＳ１０及びＳ１１の処理それぞれでＹｅｓと判断される。しかし、副音声ストリームの入力が検出されないので、ステップＳ１２の処理ではＮｏと判断される。時刻ｔ３では、ＯＳＤ画像は非表示状態である。よって、ステップＳ１６の処理ではＮｏと判断され、ステップＳ１０〜Ｓ１２、Ｓ１６の処理が繰り返される。これにより、時刻ｔ３から時刻ｔ４まで、ＯＳＤ画像は非表示状態を維持する。
【００５３】
ここで、従来では、ＰＭＴのみを用いて副音声の有無を判定していた。このため、時刻ｔ３〜時刻ｔ４の間、副音声ストリームが存在しないのにも関わらず、ＯＳＤ画像が表示状態となり、視聴者に混乱を与えていた。一方、本実施形態では、入力検出部３８の検出結果に基づいて、副音声の有無を判定している。このため、本実施形態では、時刻ｔ３〜時刻ｔ４の間、ＯＳＤ画像が非表示状態となり、視聴者に混乱を与えないようにすることができる。
【００５４】
以上のように、本実施形態では、入力検出部３８の検出結果に基づいて、副音声の有無を判定している。このため、本実施形態では、副音声の有無を正確に判定することができ、視聴者に混乱を与えないようにすることができる。
【００５５】
なお、上述では、入力検出部３８は、副音声復号部３３２の入力バッファを直接監視することによって副音声ストリームの入力を検出していたが、これに限定されない。例えば、入力検出部３８を副音声復号部３３２の前段に設け、入力検出部３８が自身へ入力される副音声ストリームを検出することによって、副音声復号部３３２への副音声ストリームの入力を検出するようにしてもよい。
【００５６】
また、上述では、制御部３７は、副音声が存在しない場合、ＯＳＤ画像信号を出力しないようにＯＳＤ画像出力部３５１を制御していたが、これに限定されない。制御部３７は、副音声が存在しない場合、副音声画像を含まないＯＳＤ画像信号を出力するようにＯＳＤ画像出力部３５１を制御してもよい。この場合、制御部３７は、視聴者のリモコン操作などによってＯＳＤ表示を指示された場合のみ、ＯＳＤ画像信号と映像復号信号とを合成して映像表示部３６へ出力するように、映像合成部３５３を制御する。これにより、視聴者は、ＯＳＤ画像の表示を指示したときのみ、ＯＳＤ画像を放送映像上に表示させることができ、表示されたＯＳＤ画像に副音声画像が表示されているか否かで、副音声の有無を把握することができる。
【００５７】
また、上述では、デジタル放送受信装置３は、音声再生部３４及び映像表示部３６を備えていたが、これらの構成部を備えていなくてもよい。この場合、音声再生部３４及び映像表示部３６がデジタル放送受信装置３の外部に設けられ、音声生成部３３の出力が外部の音声再生部３４へ入力され、映像生成部３５の出力が映像表示部３６へ入力される。
【００５８】
また、上述では、映像生成部３５は、副音声画像を含むＯＳＤ画像を放送映像上に表示させるために、映像合成部３５３を備えていたが、映像合成部３５３を備えていなくてもよい。この場合、映像復号部３５２の出力が映像表示部３６へ出力され、ＯＳＤ画像出力部３５１の出力がデジタル放送受信装置３内の情報表示パネルなどの表示部（図示なし）へ出力される。デジタル放送受信装置３が例えばＳＴＢである場合、情報表示パネルは通常、デジタル放送受信装置３の前面に設けられる。映像表示部３６は通常、デジタル放送受信装置３の外部に設けられる。そして、ＯＳＤ画像出力部３５１は、副音声が存在する場合、情報表示パネルに対応した、副音声の存在を示す副音声画像を表示するための副音声画像信号を情報表示パネルへ出力する。これにより、放送映像が映像表示部３６で表示され、副音声の有無が情報表示パネルで表示されることになる。なお、ＯＳＤ画像出力部３５１は、副音声が存在しない場合、メイン音声のみの存在を示すメイン音声画像信号を情報表示パネルへ出力してもよい。
【００５９】
また、上述では、制御部３７は、信号分離部３２で分離された番組情報のデータに含まれるＰＭＴと、入力検出部３８の検出結果とを用いて、副音声の有無を判定していたが、これに限定されない。制御部３７は、少なくとも入力検出部３８の検出結果を用いて、副音声の有無を判定すればよい。よって、制御部３７は、入力検出部３８の検出結果のみを用いて副音声の有無を判定してもよいし、番組情報のデータに含まれるＥＩＴと入力検出部３８の検出結果とを用いて副音声の有無を判定してもよいし、番組情報のデータに含まれるＰＭＴ及びＥＩＴと入力検出部３８の検出結果とを用いて副音声の有無を判定してもよい。
【００６０】
（第２の実施形態）
図９を参照して、本発明の第２の実施形態に係るデジタル放送受信装置の構成について説明する。図９は、第２の実施形態に係るデジタル放送受信装置の構成例を示す図である。図９において、デジタル放送受信装置３ａは、アンテナ１と接続されており、受信部３１、信号分離部３２、音声生成部３３、音声再生部３４、映像生成部３５、映像表示部３６、制御部３７ａ、及び入出力検出部３９を備える。
【００６１】
本実施形態に係るデジタル放送受信装置３ａは、図１に示した第１の実施形態に係るデジタル放送受信装置３に対し、入力検出部３８が入出力検出部３９に入れ代わり、制御部３７が制御部３７ａに入れ代わった点のみ異なる。それ以外の構成については、図１と同様であり、同じ符号を付して詳細な説明を省略する。以下、異なる点を中心に説明する。
【００６２】
制御部３７ａは、信号分離部３２で分離された番組情報に含まれるＰＭＴと、後述する入出力検出部３９の検出結果とを所定のタイミングで取得し、取得したＰＭＴ及び検出結果に基づいて、副音声の有無を所定のタイミングで判定する。それ以外の構成については、制御部３７と同様であるので、説明を省略する。
【００６３】
入出力検出部３９は、図１０に示すように、副音声復号部３３２の入力バッファを所定のタイミングで直接監視することにより、副音声復号部３３２への副音声ストリームの入力を検出する。図１０は、音声生成部３３の具体的な構成を示した図である。さらに、入出力検出部３９は、副音声復号部３３２の出力バッファを所定のタイミングで直接監視することにより、副音声復号部３３２の復号結果である副音声復号信号のレベルが「０」ではないことを検出する。具体的には、入出力検出部３９は、予め設定された閾値に基づい
て、副音声復号信号のレベルが閾値以上になるとき、副音声復号信号のレベルが「０」ではないことを検出する。入出力検出部３９は、検出結果を制御部３７ａへ出力する。制御部３７ａは、ＰＭＴ内に副音声の情報が含まれており、入出力検出部３９で副音声ストリームの入力が検出され、副音声復号信号のレベルが「０」ではないことが検出された場合に限り、副音声が存在すると判定する。
【００６４】
次に、図１１を参照して、以上に説明した制御部３７ａの表示制御の流れを説明する。図１１は、制御部３７ａの表示制御の流れを示すフローチャートである。図１１に示す表示制御の流れは、図７に示した第１の実施形態に係る表示制御の流れに対し、ステップＳ２３の処理が追加される点で異なる。それ以外のステップＳ２０〜Ｓ２２は、図７に示したステップＳ１０〜Ｓ１２と同様であり、ステップＳ２４〜Ｓ２９は、図７に示したステップＳ１３〜Ｓ１８と同様である。以下、異なる点を中心に説明する。
【００６５】
ステップＳ２２において副音声ストリームの入力が検出された場合（ステップＳ２２でＹｅｓ）、制御部３７は、入出力検出部３９の検出結果を取得して、副音声復号部３３２の復号結果（出力）である副音声復号信号のレベルが「０」であるか否かを判断する（ステップＳ２３）。副音声復号信号のレベルが「０」である場合（ステップＳ２３でＹｅｓ）、処理はステップＳ２７へ進み、副音声復号信号のレベルが「０」でない場合（ステップＳ２３でＮｏ）、処理はステップＳ２４へ進む。
【００６６】
次に、図１２を参照して、図１１で説明した制御部３７ａの表示制御によってＯＳＤ画像の表示状態がどのような状態になるかについて説明する。図１２は、第２の実施形態に係るＯＳＤ画像の表示状態の例を示す図である。なお、図１２の例では、時刻ｔ１においてＯＳＤ画像は出力されておらず非表示状態であるとし、時刻ｔ１において所定タイミングをむかえるものとする。また、時刻ｔ１〜ｔ２の間、時刻ｔ３〜ｔ４の間、ＰＭＴ内に副音声の情報が含まれているとし、時刻ｔ１〜ｔ２の間、副音声ストリームが副音声復号部３３２へ入力されているとし、時刻ｔ１〜ｔ２の間、副音声ストリームの入力が検出されているとする。また、時刻ｔ１１〜ｔ１２の間、時刻ｔ１３〜ｔ１４の間、副音声復号信号のレベルが「０」でないとする。
【００６７】
時刻ｔ１において、ＰＭＴ内に副音声の情報が含まれ、かつ副音声ストリームの入力が検出されるので、ステップＳ２０〜Ｓ２２の処理それぞれでＹｅｓと判断される。しかし、副音声復号信号のレベルが「０」であるので、ステップＳ２３の処理ではＹｅｓと判断され、処理はステップＳ２７へ進む。時刻ｔ１では、ＯＳＤ画像は出力されておらず非表示状態である。よって、ステップＳ２７の処理ではＮｏと判断され、処理はステップＳ２０へ戻る。時刻ｔ１から時刻ｔ１１までは、ステップＳ２０〜Ｓ２３、Ｓ２７の処理が繰り返される。これにより、時刻ｔ１から時刻ｔ１１までは、ＯＳＤ画像は非表示状態を維持する。
【００６８】
時刻ｔ１１において副音声復号信号のレベルが「０」ではなくなるので、ステップＳ２３の処理ではＮｏと判断される。時刻ｔ１１では、ＯＳＤ画像は非表示状態である。よって、ステップＳ２４の処理ではＮｏと判断され、ステップＳ２５及びＳ２６の処理によりＯＳＤ画像が表示状態となる。ステップＳ２５及びＳ２６の処理によりＯＳＤ画像が表示状態となるので、ステップＳ２６の処理後、時刻ｔ１２までは、ステップＳ２０〜Ｓ２４の処理が繰り返される。これにより、ステップＳ２６の処理後、時刻ｔ１２までは、ＯＳＤ画像は表示状態を維持する。
【００６９】
時刻ｔ１２において副音声復号信号のレベルが「０」になるので、ステップＳ２３の処理ではＹｅｓと判断される。時刻ｔ１２では、ＯＳＤ画像は表示状態である。よって、ステップＳ２７の処理ではＹｅｓと判断され、ステップＳ２８及びＳ２９の処理によりＯＳ
Ｄ画像が非表示状態となる。ステップＳ２８及びＳ２９の処理によりＯＳＤ画像が非表示状態となるので、ステップＳ２９の処理後、時刻ｔ１３までは、ステップＳ２０〜Ｓ２３、Ｓ２７の処理が繰り返される。これにより、ステップＳ２９の処理後、時刻ｔ１３までは、ＯＳＤ画像は非表示状態を維持する。
【００７０】
以下、同様の処理により、時刻ｔ１３〜時刻ｔ１４の間、ＯＳＤ画像は表示状態となり、時刻ｔ１４〜時刻ｔ２の間、ＯＳＤ画像は非表示状態となる。このような処理により、時刻ｔ１１〜ｔ１２の間、時刻ｔ１３〜ｔ１４の間のように、副音声復号信号の出力レベルが「０」でない間のみ、ＯＳＤ画像が表示されることになる。なお、時刻ｔ２以降の処理は、第１の実施形態と同様であるので、説明を省略する。
【００７１】
以上のように、本実施形態では、副音声復号信号のレベルをさらに用いて、副音声の有無を判定している。これにより、本実施形態では、副音声復号信号の出力レベルが「０」でない間のみ、ＯＳＤ画像を表示させることができる。その結果、視聴者に対して、副音声の有無をより正確に通知することができる。
【００７２】
なお、上述では、入出力検出部３９は、副音声復号部３３２の入力バッファを直接監視することにより、副音声ストリームの入力を検出していたが、これに限定されない。例えば、入出力検出部３９のうちの入力検出部（図示なし）を副音声復号部３３２の前段に設け、入力検出部が自身へ入力される副音声ストリームを検出することによって、副音声復号部３３２への副音声ストリームの入力を検出するようにしてもよい。また、入出力検出部３９は、副音声復号部３３２の出力バッファを直接監視することにより、副音声復号部３３２の復号結果が「０」でないことを検出していたが、これに限定されない。例えば、入出力検出部３９のうちの出力検出部（図示なし）を副音声復号部３３２の後段に設け、出力検出部が自身へ入力される副音声復号信号のレベルを参照することによって、副音声復号部３３２の復号結果が「０」でないことを検出するようにしてもよい。また、入出力検出部３９は、副音声復号部３３２の復号結果が「０」でないことを検出していたが、非常に小さなレベルではないことを検出するようにしてもよい。
【００７３】
（第３の実施形態）
図１３を参照して、本発明の第３の実施形態に係るデジタル放送受信装置の構成について説明する。図１３は、第３の実施形態に係るデジタル放送受信装置の構成例を示す図である。図１３において、デジタル放送受信装置３ｂは、アンテナ１と接続されており、受信部３１、信号分離部３２、音声生成部３３、音声再生部３４、映像生成部３５、映像表示部３６、制御部３７ｂ、及び入出力検出部３９を備える。
【００７４】
本実施形態に係るデジタル放送受信装置３ｂは、図９に示した第２の実施形態に係るデジタル放送受信装置３ａに対し、制御部３７ａが制御部３７ｂに入れ代わった点のみ異なる。それ以外の構成については、図９と同様であり、同じ符号を付して詳細な説明を省略する。以下、異なる点を中心に説明する。
【００７５】
制御部３７ｂは、ＯＳＤ画像が表示されている状況において副音声復号信号のレベルが「０」になったとき、「０」になってから所定時間が経過するまで、ＯＳＤ画像の表示を継続させる。それ以外の構成については、制御部３７ａと同様であるので、説明を省略する。
【００７６】
次に、図１４を参照して、以上に説明した制御部３７ｂの表示制御の流れを説明する。図１４は、制御部３７ｂの表示制御の流れを示すフローチャートである。図１４に示す表示制御の流れは、図１１に示した第２の実施形態に係る表示制御の流れに対し、ステップＳ３８及びＳ３９の処理が追加される点で異なる。それ以外のステップＳ３０〜Ｓ３６は
、図１１に示したステップＳ２０〜Ｓ２６と同様であり、ステップＳ３７は、図１１に示したステップＳ２７と同様であり、ステップＳ４０及びＳ４１は、図１１に示したステップＳ２８及びＳ２９と同様である。以下、異なる点を中心に説明する。
【００７７】
ステップＳ３３において副音声復号信号のレベルが「０」である場合（ステップＳ３３でＹｅｓ）、制御部３７ｂは、ＯＳＤ画像出力部３５１からＯＳＤ画像信号が出力中であるか否かを判断する（ステップＳ３８）。ＯＳＤ画像信号が出力中でない場合（ステップＳ３８でＮｏ）、処理はステップＳ３０へ戻る。ＯＳＤ画像信号が出力中である場合（ステップＳ３８でＹｅｓ）、制御部３７ｂは、副音声復号信号のレベルが「０」になってから所定時間Ｔだけ経過したか否かを判断する（ステップＳ３９）。所定時間Ｔだけ経過していない場合（ステップＳ３９でＮｏ）、処理はステップＳ３０へ戻り、所定時間Ｔだけ経過した場合（ステップＳ３９でＹｅｓ）、処理はステップＳ４０へ進む。
【００７８】
次に、図１５を参照して、図１４で説明した制御部３７ｂの表示制御によってＯＳＤ画像の表示状態がどのような状態になるかについて説明する。図１５は、第３の実施形態に係るＯＳＤ画像の表示状態の例を示す図である。なお、図１５の例では、時刻ｔ１においてＯＳＤ画像は出力されておらず非表示状態であるとし、時刻ｔ１において所定タイミングをむかえるものとする。また、時刻ｔ１〜ｔ２の間、時刻ｔ３〜ｔ４の間、ＰＭＴ内に副音声の情報が含まれているとし、時刻ｔ１〜ｔ２の間、副音声ストリームが副音声復号部３３２へ入力されているとし、時刻ｔ１〜ｔ２の間、副音声ストリームの入力が検出されているとする。また、時刻ｔ１１〜ｔ１２の間、時刻ｔ１３〜ｔ１４の間、副音声復号信号のレベルが「０」でないとする。また、時刻ｔ１２〜ｔ１３の間、時刻ｔ１４〜ｔ２の間の時間は、所定時間Ｔより短いとする。
【００７９】
時刻ｔ１において、ＰＭＴ内に副音声の情報が含まれ、かつ副音声ストリームの入力が検出されるので、ステップＳ３０〜Ｓ３２の処理それぞれでＹｅｓと判断される。しかし、副音声復号信号のレベルが「０」であるので、ステップＳ３３の処理ではＹｅｓと判断され、処理はステップＳ３８へ進む。時刻ｔ１では、ＯＳＤ画像は出力されておらず非表示状態である。よって、ステップＳ３８の処理ではＮｏと判断され、処理はステップＳ３０へ戻る。時刻ｔ１から時刻ｔ１１までは、ステップＳ３０〜Ｓ３３、Ｓ３８の処理が繰り返される。これにより、時刻ｔ１から時刻ｔ１１までは、ＯＳＤ画像は非表示状態を維持する。
【００８０】
時刻ｔ１１において副音声復号信号のレベルが「０」ではなくなるので、ステップＳ３３の処理ではＮｏと判断される。時刻ｔ１１では、ＯＳＤ画像は非表示状態である。よって、ステップＳ３４の処理ではＮｏと判断され、ステップＳ３５及びＳ３６の処理によりＯＳＤ画像が表示状態となる。ステップＳ３５及びＳ３６の処理によりＯＳＤ画像が表示状態となるので、ステップＳ３６の処理後、時刻ｔ１２までは、ステップＳ３０〜Ｓ３４の処理が繰り返される。これにより、ステップＳ３６の処理後、時刻ｔ１２までは、ＯＳＤ画像は表示状態を維持する。
【００８１】
時刻ｔ１２において副音声復号信号のレベルが「０」になるので、ステップＳ３３の処理ではＹｅｓと判断される。時刻ｔ１２では、ＯＳＤ画像は表示状態である。よって、ステップＳ３８の処理ではＹｅｓと判断され、処理はステップＳ３９へ進む。ステップＳ３９では、副音声復号信号のレベルが「０」となってから所定時間Ｔだけ経過した後でなければ、Ｙｅｓと判断されない。また、時刻ｔ１２〜ｔ１３の間の時間は、所定時間Ｔより短い。よって、時刻ｔ１２〜ｔ１３の間、ステップＳ３９でＮｏと判断され、ステップＳ３０〜Ｓ３３、Ｓ３８、Ｓ３９の処理が繰り返される。これにより、時刻ｔ１２〜ｔ１３の間、ＯＳＤ画像は表示状態を維持する。
【００８２】
時刻ｔ１３において副音声復号信号のレベルが「０」ではなくなるので、ステップＳ３３の処理ではＮｏと判断される。時刻ｔ１３では、ＯＳＤ画像は表示状態である。よって、ステップＳ３４の処理ではＹｅｓと判断され、ステップＳ３０〜Ｓ３４の処理が繰り返される。これにより、時刻ｔ１３〜ｔ１４の間、ＯＳＤ画像は表示状態を維持する。
【００８３】
時刻ｔ１４において副音声復号信号のレベルが「０」になるので、ステップＳ３３の処理ではＹｅｓと判断される。時刻ｔ１４では、ＯＳＤ画像は表示状態である。よって、ステップＳ３８の処理ではＹｅｓと判断され、処理はステップＳ３９へ進む。ステップＳ３９では、副音声復号信号のレベルが「０」となってから所定時間Ｔだけ経過した後でなければ、Ｙｅｓと判断されない。また、時刻ｔ１４〜ｔ２の間の時間は、所定時間Ｔより短い。よって、時刻ｔ１４〜ｔ２の間、ステップＳ３９でＮｏと判断され、ステップＳ３０〜Ｓ３３、Ｓ３８、Ｓ３９の処理が繰り返される。これにより、時刻ｔ１４〜ｔ２の間、ＯＳＤ画像は表示状態を維持する。
【００８４】
時刻ｔ２においてＰＭＴ内に副音声の情報が含まれなくなるので、ステップＳ３１の処理ではＮｏと判断される。時刻ｔ２では、ＯＳＤ画像は表示状態である。よって、ステップＳ３７の処理ではＹｅｓと判断され、ステップＳ４０及びＳ４１の処理によりＯＳＤ画像は非表示状態となる。その後の処理は、第１の実施形態と同様であり、説明を省略する。
【００８５】
このような処理により、時刻ｔ１１〜ｔ２の間、ＯＳＤ画像が表示されることになる。これにより、副音声復号部３３２の復号結果の変動が激しくても、視聴者は、副音声の有無を容易に把握することができる。
【００８６】
以上のように、本実施形態では、ＯＳＤ画像が表示されている状況において副音声復号信号のレベルが「０」になったとき、「０」になってから所定時間が経過するまで、ＯＳＤ画像の表示を継続させる。これにより、副音声復号部３３２の復号結果の変動が激しくても、視聴者は、副音声の有無を容易に把握することができる。
【産業上の利用可能性】
【００８７】
本発明のデジタル放送受信装置は、視聴中の番組における副音声の有無を視聴者に正確に通知することが可能であり、デジタル放送対応のテレビ等に適用される。
【図面の簡単な説明】
【００８８】
【図１】第１の実施形態に係るデジタル放送受信装置の構成例を示す図
【図２】ＥＩＴの構成例を示す図
【図３】ＰＭＴ内のメイン音声の情報の構成例と副音声の情報の構成例とを示す図
【図４】第１の実施形態に係る音声生成部３３の具体的な構成を示した図
【図５】第１の実施形態に係る映像生成部３５の具体的な構成を示した図
【図６】映像表示部３６が放送映像上にＯＳＤ画像を表示する様子を示す図
【図７】制御部３７の表示制御の流れを示すフローチャート
【図８】第１の実施形態に係るＯＳＤ画像の表示状態の例を示す図
【図９】第２の実施形態に係るデジタル放送受信装置の構成例を示す図
【図１０】第２の実施形態に係る音声生成部３３の具体的な構成を示した図
【図１１】制御部３７ａの表示制御の流れを示すフローチャート
【図１２】第２の実施形態に係るＯＳＤ画像の表示状態の例を示す図
【図１３】第３の実施形態に係るデジタル放送受信装置の構成例を示す図
【図１４】制御部３７ｂの表示制御の流れを示すフローチャート
【図１５】第３の実施形態に係るＯＳＤ画像の表示状態の例を示す図
【図１６】ＰＭＴを参照して副音声の有無を判定するデジタル放送受信装置の構成を示した図
【図１７】音声生成部２３の具体的な構成を示した図
【図１８】映像生成部２５の具体的な構成を示す図
【符号の説明】
【００８９】
１    アンテナ
２、３、３ａ、３ｂ    デジタル放送受信装置
２１、３１    受信部
２２、３２    信号分離部
２３、３３    音声生成部
２４、３４    音声再生部
２５、３５    映像生成部
２６、３６    映像表示部
２７、３７、３７ａ、３７ｂ    制御部
３８    入力検出部
３９    入出力検出部
２３１、３３１    メイン音声復号部
２３２、３３２    副音声復号部
２３３、３３３    音声合成部
２５１、３５１    ＯＳＤ画像出力部
２５２、３５２    映像復号部
２５３、３５３    映像合成部
【図１】
0004874284.tif 000002
【図２】
0004874284.tif 000003
【図３】
0004874284.tif 000004
【図４】
0004874284.tif 000005
【図５】
0004874284.tif 000006
【図６】
0004874284.tif 000007
【図７】
0004874284.tif 000008
【図８】
0004874284.tif 000009
【図９】
0004874284.tif 000010
【図１０】
0004874284.tif 000011
【図１１】
0004874284.tif 000012
【図１２】
0004874284.tif 000013
【図１３】
0004874284.tif 000014
【図１４】
0004874284.tif 000015
【図１５】
0004874284.tif 000016
【図１６】
0004874284.tif 000017
【図１７】
0004874284.tif 000018
【図１８】
0004874284.tif 000019